(57)【要約】【課題】プレーヤの足の裏の動きを支持すると共に補助して、局所的な負担を緩和することが可能なスポーツシューズ用インソールを提供する。【解決手段】スポーツシューズ用インソール(１０)は、足に作用する力の解放を最適化するべく、異なる材料により異なる物理的特性の領域を形成する複数の部材を有して解剖学的に外形が形作られた本体（２０）からなり、これらの領域は、少なくとも第１の趾骨領域（１１）と、第２の中足骨領域（１２）と、第３の踵骨領域（１３）とからなる。【選択図】図１
2008093412.tif 000002
【特許請求の範囲】
【請求項１】
足に作用する力の分散を最適化するべく、異なる材料により異なる物理的特性の領域を形成する複数の部材（１４，１５，１６，１７，１８，１９）を有して解剖学的に外形が形作られた本体（２０）からなり、上記領域が少なくとも、第１の趾骨領域（１１）と、第２の中足骨領域（１２）と、第３の踵骨領域（１３）とからなることを特徴とするスポーツシューズ用インソール。
【請求項２】
上記第１の趾骨領域（１１）には、上記足の拇趾に対応し、上記拇趾の前方への突き出しを緩和するように構成された部材（１４）が設けられていることを特徴とする請求項１に記載のスポーツシューズ用インソール。
【請求項３】
上記第２の中足骨領域（１２）には、
上記足の第１中足骨前端部に対応した第１の部材（１５）と、
上記足の中央中足骨前端部に対応した第２の部材（１６）と、
上記足の第５中足骨前端部に対応した第３の部材（１７）と
からなる衝撃吸収部材が設けられていることを特徴とする請求項１又は２に記載のスポーツシューズ用インソール。
【請求項４】
上記踵骨領域（１３）には、上記足の踵に対応して中央衝撃吸収部材（１８）が設けられ、上記踵骨領域（１３）の外側後方領域には、上記中央衝撃吸収部材（１８）より硬質な硬質部材（１９）が設けられていることを特徴とする請求項１乃至３に記載のスポーツシューズ用インソール。
【請求項５】
上記硬質部材（１９）は、上記踵骨領域（１３）の外側後方領域において、上記インソール（１０）の厚み全体にわたり上記インソール（１０）の下面まで設けられることにより回外規制体を形成していることを特徴とする請求項４に記載のスポーツシューズ用インソール。
【請求項６】
解剖学的に外形が形作られた上記本体（２０）は、密封微小気泡を有した発泡材からなることを特徴とする請求項１乃至５に記載のスポーツシューズ用インソール。
【請求項７】
密封微小気泡を有した上記発泡材は、ＥＶＡ（エチレン酢酸ビニル）を主成分とすることを特徴とする請求項６に記載のスポーツシューズ用インソール。
【請求項８】
密封微小気泡を有した上記発泡材は、ＵＮＩ（イタリア規格協会）規格ＥＮ７６１９／２０００に基づくショアＡで、３０を好ましい値として２７乃至３３の硬度を有することを特徴とする請求項７に記載のスポーツシューズ用インソール。
【請求項９】
密封微小気泡を有した上記発泡材は、ＵＮＩ規格ＥＮ１０９０２／２０００に基づき、１４５ｇ／ｄｍ３を好ましい値として１３０乃至１６０ｇ／ｄｍ３の密度を有することを特徴とする請求項８に記載のスポーツシューズ用インソール。
【請求項１０】
密封微小気泡を有した上記発泡材は、ＵＮＩ規格６３５７／１９６８に基づき、４０％を好ましい値として３８乃至４２％の弾性を有することを特徴とする請求項９に記載のスポーツシューズ用インソール。
【請求項１１】
拇趾用、第１中足骨前端部用、中央中足骨前端部用、第５中足骨前端部用、及び踵用のそれぞれの上記部材（１４，１５，１６，１７，１８）は、開放微小気泡を有した発泡ポリウレタン材からなる衝撃吸収部材であることを特徴とする請求項１乃至１０に記載のスポーツシューズ用インソール。
【請求項１２】
開放微小気泡を有した上記発泡ポリウレタン材は、ＵＮＩ（イタリア規格協会）規格ＥＮ７６１９／２０００に基づくショアＡで、２３を好ましい値として２０乃至２６の硬度を有することを特徴とする請求項１１に記載のスポーツシューズ用インソール。
【請求項１３】
開放微小気泡を有した上記発泡ポリウレタン材は、ＵＮＩ規格ＥＮ１０９０２／２０００に基づき、３１０ｇ／ｄｍ３を好ましい値として２７９乃至３４１ｇ／ｄｍ３の密度を有することを特徴とする請求項１２に記載のスポーツシューズ用インソール。
【請求項１４】
開放微小気泡を有した上記発泡ポリウレタン材は、ＵＮＩ規格６３５７／１９６８に基づき、４％を好ましい値として３．８乃至４．２％の弾性を有していることを特徴とする請求項１３に記載のスポーツシューズ用インソール。
【請求項１５】
上記踵骨領域（１３）の外側後方領域に設けられた上記硬質部材（１９）は、密封微小気泡を有した発泡材からなることを特徴とする請求項４又は５に記載のスポーツシューズ用インソール。
【請求項１６】
密封微小気泡を有した上記発泡材は、ＥＶＡ（エチレン酢酸ビニル）を主成分とすることを特徴とする請求項１５に記載のスポーツシューズ用インソール。
【請求項１７】
密封微小気泡を有した上記発泡材は、ＵＮＩ（イタリア規格協会）規格ＥＮ７６１９／２０００に基づくショアＡで、４５を好ましい値として４０乃至５０の硬度を有することを特徴とする請求項１６に記載のスポーツシューズ用インソール。
【請求項１８】
密封微小気泡を有した上記発泡材は、ＵＮＩ規格ＥＮ１０９０２／２０００に基づき、２３０ｇ／ｄｍ３を好ましい値として２０７乃至２５３ｇ／ｄｍ３の密度を有することを特徴とする請求項１７に記載のスポーツシューズ用インソール。
【請求項１９】
密封微小気泡を有した上記発泡材は、ＵＮＩ規格６３５７／１９６８に基づき、３５％を好ましい値として３３乃至３７％の弾性を有することを特徴とする請求項１８に記載のスポーツシューズ用インソール。
【請求項２０】
解剖学的な外形に形作られた上記本体（２０）には、その周縁において隆起した規制部材が設けられていることを特徴とする請求項１乃至１９に記載のスポーツシューズ用インソール。
【請求項２１】
上記足のアーチ部に対応する部位には、上記第５中足骨前端部用の上記部材（１７）に連続して第１周縁隆起部（２１）が形成されていることを特徴とする請求項２０に記載のスポーツシューズ用インソール。
【請求項２２】
上記硬質部材（１９）の側方部分には、上記踵骨領域（１３）の外側に第２周縁隆起部（２２）が突設されていることを特徴とする請求項２０又は２１に記載のスポーツシューズ用インソール。
【請求項２３】
上記第１周縁隆起部（２１）と上記第２周縁隆起部（２２）との間には、上記第５中足骨の茎状部のための荷重分散凹部（２３）が設けられていることを特徴とする請求項２２に記載のスポーツシューズ用インソール。
【請求項２４】
上記足のアーチ部は、上記中足骨領域（１２）と上記踵骨領域（１３）との間において上記本体（２０）に設けられた第３周縁隆起部（２４）によって支持されることを特徴とする請求項２０乃至２２に記載のスポーツシューズ用インソール。
【発明の詳細な説明】
【技術分野】
【０００１】
本発明は、スポーツシューズ用のインソール、特にゴルフシューズ用のインソールに関する。
【背景技術】
【０００２】
ゴルフは、米国や極東において既に定着したスポーツであり、ヨーロッパにおいても人気が高まりつつある。ゴルフは屋外のスポーツであり、いわゆる「ウォータハザード」を形成する池や小川の存在によって一層楽しみの増した丘を縫って設けられているコース上で行われる。これらの特徴によってゴルフは、スポーツであるが故に肉体的な効果をもたらすだけではなく、ゴルフが行われる広大で良く手入れの施された緑地のおかげで、精神的な効果をも得られるような運動となっている。
【０００３】
ゴルフボールを打つことに対する総称的な行為であるいわゆる「スイング」は、主として以下の４つの動きに分けることができる。
「スタンス」、即ちスイングに備えて所定位置に足をおくこと。
「バックスイング」、即ちスイングを行うためにクラブを振り上げること。
「ダウンスイング」、即ちボールを打つためにクラブを振り下ろすこと。
「フィニッシュ」、即ちほぼボールを打ったときに開始されるスイングの最終動作。
【０００４】
これらの動きがなされる際には、身体の動きのほか、胴体及び腕の回転運動で生じる体重移動やこのとき発生する脚の曲げや回転によってプレーヤの足に加わるねじれにより、足のいくつかの部分が著しく影響を受ける。更に、ゴルフプレーヤの足は、１つのスイングから次のスイングに移動するための長距離の歩行により、激しく負担を受けることになる。
【発明の開示】
【発明が解決しようとする課題】
【０００５】
近年では、見た目が洗練されると共に、スイング及び歩行のいずれにおいてもプレーヤに快適な素材でできたシューズを使用してゴルフが行われている。しかしながら、このようなシューズには、ほぼ均一な硬度と弾性を有したインソールが用いられているのが一般的であり、このようなインソールは、上述したねじりが求められるとき、或いは負荷が増大するようなときに、最も激しく負担がかかる足の部分に追従してこれを補助することができない。
【０００６】
一般的なスポーツシューズを使用してゴルフプレーヤがこのような特定の動きをした場合、プレーヤの足に小さな傷や断裂、或いは腱や筋肉の傷害を生じる可能性がある。これらの傷害の治癒には一般的にそれなりの期間の安静が必要となる可能性があり、いずれにしても好ましいことではない。
本発明はこのような課題に鑑みてなされたものであり、本発明の狙いは、プレーヤの足の裏の動きを支持すると共に補助して、局所的な負担を緩和することが可能なスポーツシューズ用インソール、特にゴルフシューズ用インソールを提供することにある。
【０００７】
このような狙いの中で本発明の目的は、既に市場において入手可能な公知のタイプのシューズに挿入して使用することも可能なインソールを提供することにある。
本発明のもう１つの目的は、公知の装置や技術を用いて安価に製造可能なインソールを提供することにある。
【課題を解決するための手段】
【０００８】
このような狙い及び目的、並びに以下で明らかとなる更なる別の目的を達成するため、本発明のスポーツシューズ用インソールは、足に作用する力の分散を最適化するべく、異なる材料により異なる物理的特性の領域を形成する複数の部材を有して解剖学的に外形が形作られた本体からなり、上記領域が少なくとも、第１の趾骨領域と、第２の中足骨領域と、第３の踵骨領域とからなることを特徴とする。
【発明の効果】
【０００９】
本発明のスポーツシューズ用インソールによれば、スポーツシューズを着用したプレーヤの足の裏の移動を支持すると共に補助して、足に対する局所的な負担を緩和し、足に障害が発生することを良好に防止することが可能となる。
また、本発明のスポーツシューズ用インソールによれば、既に市場において入手可能な公知のタイプのシューズにも挿入して使用可能なインソールを得ることができる。
【００１０】
更に、本発明のスポーツシューズ用インソールによれば、公知の装置及び技術を用いて安価に製造することが可能となる。
【発明を実施するための最良の形態】
【００１１】
本発明の更なる特徴及び利点は、添付の図面に限定されない例を用いて示された、好ましいが限定的ではない実施形態の詳細な説明によって、より一層明確になるであろう。
以下、図面に基づき本発明の一実施形態について説明する。
図中、本発明に係るスポーツシューズ用インソール、特にゴルフシューズ用インソールは符号１０によって示されている。このインソール１０は、使用時に通常触れる使用者の足の様々な領域に対応した様々な部材からなっている。即ち、例えばインソールの趾骨領域は、使用時に足の趾骨領域が接触する領域である。
【００１２】
インソール１０は、足の形状に対応して解剖学的に外形が形作られた本体２０によって構成される。この本体２０には、ひねり、ねじり、体重移動、曲げ、回転などのような使用者の身体（胴体、腕、脚）の動きによって足に作用する力の分散を最適化するべく、異なる物理的特性を有した領域を画成する異なる材料からなる部材が設けられている。これらの領域は、第１の趾骨領域１１と、第２の中足骨領域１２と、第３の踵骨領域１３である。
【００１３】
足の形状に対応して解剖学的に外形が形作られた本体２０は、ＥＶＡ（エチレン酢酸ビニル）を主成分とする、密封微小気泡を有した発泡材からなる。この密封微小気泡を有した発泡材は、ＵＮＩ（イタリア規格協会）規格ＥＮ７６１９／２０００に基づくショアＡで、２７乃至３３、具体的には３０の硬度を有すると共に、ＵＮＩ規格ＥＮ１０９０２／２０００に基づき、１３０乃至１６０ｇ／ｄｍ３、具体的には１４５ｇ／ｄｍ３の密度を有するほか、もう１つの重要な特徴として、ＵＮＩ規格６３５７／１９６８に基づき、４０％を中心値として３８乃至４２％の弾性を有している。
【００１４】
本体２０は、足によって伝達される通常の負荷及び圧迫に耐えうる硬度と弾性とを有すると同時に、プラスチック材料の成形により容易に製造可能なものである。
第１の趾骨領域１１には、拇趾に対応して拇趾の前方への突き出しを緩和するように構成された部材１４が設けられている。この拇趾に対応した部材１４は、特にショットの際のバックスイングやダウンスイングの間、及び移動時の歩行の際の通常の歩幅による推進の間に拇趾で圧迫される。
【００１５】
第２の中足骨領域１２には、衝撃吸収部材として、足の第１中足骨前端部に対応した第１の衝撃吸収部材１５と、中央中足骨前端部に対応した第２の衝撃吸収部材１６と、第５中足骨前端部に対応した第３の衝撃吸収部材１７とが設けられている。
第１の衝撃吸収部材１５は、バックスイングやダウンスイングの間に第１中足骨前端部から加えられる力、及び歩行の際における一方の足の推進段階への移行に先立って他方の足の踵が地面から離れて爪先が接地した爪先段階にある上記他方の足の第１中足骨前端部への負担を緩和する。
【００１６】
第２の衝撃吸収部材１６は、スイングのフィニッシュの段階で前側の足、即ちショットの方向の側にある足がショットの方向に地面の上で回転し、体重の一部がその足の上に移動するとき、中央中足骨前端部によって強い圧迫を受ける。また、第２衝撃吸収部材１６は、歩行の際に前進のために爪先に力が加わる爪先推進段階においても圧迫される。
第３の衝撃吸収部材１７は、バックスイングやダウンスイングの際に第５中足骨前端部から加えられる力、及び歩行時の推進段階に先立つ上記爪先段階における第５中足骨前端部への負担を緩和する。
【００１７】
第３の踵骨領域１３には、踵における衝撃の吸収を行うための中央衝撃吸収部材１８が設けられると共に、中央衝撃吸収部材１８より硬質の硬質部材１９が踵骨領域１３の外側後方の側面領域に設けられている。中央衝撃吸収部材１８は、スタンスの際、及び歩行時の踵接地段階に、踵によって加えられる圧力の影響を受ける。
拇趾、第１中足骨前端部、中央中足骨前端部、第５中足骨前端部及び踵のそれぞれのための衝撃吸収部材１４，１５，１６，１７，１８は、衝撃を吸収する開放微小気泡を有したポリウレタン材からなる。この開放微小気泡を有したポリウレタン材は、ＵＮＩ規格ＥＮ７６１９／２０００に基づくショアＡで、２３を好ましい値として２０乃至２６の硬度を有すると共に、ＵＮＩ規格ＥＮ１０９０２／２０００に基づき、２７９乃至３４１ｇ／ｄｍ３、好ましくは３１０ｇ／ｄｍ３の密度を有し、もう１つの重要な特徴として、ＵＮＩ規格６３５７／１９６８に基づき、４％を好ましい値として３．８乃至４．２％の弾性を有している。
【００１８】
従って、これらの衝撃吸収部材１４，１５，１６，１７，１８は、本体２０より柔軟であり、低い弾性を有する。このため、足の対応箇所から加えられる力を緩和する役割を担って、少なくとも部分的にこの力を吸収し、足の上記各部分に対する小さな傷や断裂の危険性を低減することが可能となる。
硬質部材１９は、足の回外規制体として機能し、ショットの際のあらゆる段階、及び歩行の際の踵接地段階において踵を安定させる。この硬質部材１９は、踵骨領域１３の外側後方領域に、インソール１０の厚み全体にわたってインソール１０の下面まで延設され、回外規制体を形成している。
【００１９】
硬質部材１９は、密封微小気泡を有した発泡材からなり、本実施形態ではＥＶＡを主成分としている。この密封微小気泡を有した発泡材は、ＵＮＩ規格ＥＮ７６１９／２０００に基づくショアＡで、４５を好ましい値として４０乃至５０の硬度を有する。また、その密度は、ＵＮＩ規格ＥＮ１０９０２／２０００に基づき、２３０ｇ／ｄｍ３を好ましい値として２０７乃至２５３ｇ／ｄｍ３であり、その弾性は、ＵＮＩ規格６３５７／１９６８に基づき、３５％を好ましい値として３３乃至３７％となっている。
【００２０】
回外規制体として機能する硬質部材１９が、このようにより高い強度を有することに伴い、その領域のインソール１０の弾性が相対的に低くなり、より一層踵を安定させることが可能となる。
インソール１０の本体２０には、その周縁部分に隆起した規制部材が設けられている。即ち、第１周縁隆起部２１が、足のアーチ部に対応する部位に、第５中足骨前端部のための衝撃緩衝部材１７に連続して設けられている。また、第２周縁隆起部２２が、硬質部１９の側方部分において、踵骨領域１３の外側に設けられている。
【００２１】
第１周縁隆起部２１と第２周縁隆起部２２との間には、第５中足骨の茎状部のための荷重分散用凹部２３が設けられており、この荷重分散用凹部２３は、足の移動を促進すると共に、歩行の際における生理的機能の最適化に加えて、スイングの際やスタンスの際の圧迫期間における応力を低減する。
また、足のアーチ部は、中足骨領域１２と踵骨領域１３との間に隆起した、本体２０の第３周縁隆起部２４によって支持されるようになっている。この第３周縁隆起部２４を設けることにより、スタンスの際における足の内側移動を抑制すると共に、ダウンスイングの際の足の中間部分の外反移動（膝の内側移動状態に対応する）及び歩行時の回内を抑制することができる。
【００２２】
以上に述べたように、本発明の狙い及び目的が実際に達成されたことがわかった。
特に、本発明は、プレーヤの足の裏の移動を支持すると共に補助して、足に対する局所的な負担を緩和することが可能な、スポーツシューズ用インソール、特にゴルフシューズ用インソールを提供することができる。
また、本発明は、既に市場において入手可能な公知のタイプのシューズにも挿入して使用可能なインソールを提供することができる。
【００２３】
本発明によるインソール１０は、シューズと一体的に設けることも可能であるが、後でシューズに挿入することができるように、中敷きのような形式で別個に設けることも可能である。
また、本発明は、公知の装置及び技術を用いて安価に製造可能なインソールを提供することができる。
【００２４】
このように構成される本発明は、様々な変更や変形が可能であるが、それらはいずれも添付の特許請求の範囲に含まれるものであって、いずれの細部についても技術的に均等な別の要素と置き換えることが可能である。
大きさ並びに使用される材料は、特定の使用に適合するものである限りにおいて、必要に応じまた技術に応じていかなるものとすることも可能である。
【図面の簡単な説明】
【００２５】
【図１】本発明の一実施形態に係るインソールの斜視図である。
【図２】図１のインソールの断面図である。
【図３】図１のインソールの第１の側面図である。
【図４】図１のインソールの第２の側面図である。
【図５】図１のインソールの一部を下方から見た図である。
【符号の説明】
【００２６】
１０  インソール
１１  第１の趾骨領域
１２  第２の中足骨領域
１３  第３の踵骨領域
１４  衝撃吸収部材
１５  第１の衝撃吸収部材
１６  第２の衝撃吸収部材
１７  第３の衝撃吸収部材
１８  中央衝撃吸収部材
１９  硬質部材
２０  本体
２１  第１周縁隆起部
２２  第２周縁隆起部
２３  荷重分散凹部
２４  第３周縁隆起部
【図１】
2008093412.tif 000003
【図２】
2008093412.tif 000004
【図３】
2008093412.tif 000005
【図４】
2008093412.tif 000006
【図５】
2008093412.tif 000007